【手続補正書】
【提出日】平成18年3月30日(2006.3.30)
【手続補正１】
【補正対象書類名】特許請求の範囲
【補正対象項目名】全文
【補正方法】変更
【補正の内容】
【特許請求の範囲】
【請求項１】
本体と、
ディスプレイを有する蓋体と、
前記蓋体が前記本体に対して第１方向に回転できるように、前記本体の上端に形成される第１ヒンジユニットと、
前記第１ヒンジユニットに連結されるカメラと、
前記蓋体が前記本体に対して第２方向に回転できるように、前記蓋体と前記第１ヒンジユニットとの間に装着される第２ヒンジユニットと、
を含むことを特徴とする移動通信端末機。
【請求項２】
前記カメラが、前記第１方向又は前記第２方向のいずれか一方向に回転することを特徴とする請求項１に記載の移動通信端末機。
【請求項３】
前記第１方向と前記第２方向とが直角をなすことを特徴とする請求項１に記載の移動通信端末機。
【請求項４】
前記蓋体が、前記本体に対して前記第２方向に１８０°回転自在に装着されることを特徴とする請求項１に記載の移動通信端末機。
【請求項５】
前記蓋体が、前記本体に対して前記第２方向に１８０°回転した後、前記本体に対して前記第１方向に回転して閉じられるように、回転自在に設置されることを特徴とする請求項４に記載の移動通信端末機。
【請求項６】
前記カメラは、前記蓋体が閉位置にあるとき、露出するように設置されることを特徴とする請求項５に記載の移動通信端末機。
【請求項７】
前記ディスプレイは、前記蓋体が前記第２方向に１８０°回転した後、前記第１方向に回転して閉状態になったとき、露出するように設置されることを特徴とする請求項５に記載の移動通信端末機。
【請求項８】
前記第２ヒンジユニットが、
回転孔を有するスイベル部と、
前記回転孔に挿入されて前記蓋体に回転自在に固定される回転軸と、
前記スイベル部に形成される係止突条と、
を含むことを特徴とする請求項１に記載の移動通信端末機。
【請求項９】
前記回転軸が、
前記蓋体に固定される固定部と、
第１半径を有し、前記固定部に連結される下端軸と、
前記係止突条に係止されるように、前記第１半径より大きい第２半径を有し、前記固定部に連結される上端軸と、
を含むことを特徴とする請求項８に記載の移動通信端末機。
【請求項１０】
前記回転軸が、データラインを通過させるための孔をさらに含むことを特徴とする請求項８に記載の移動通信端末機。
【請求項１１】
前記カメラが、前記カメラを回転させるための取っ手を含むことを特徴とする請求項１に記載の移動通信端末機。
【請求項１２】
蓋体が本体に対して第１方向に回転できるように、前記本体の上端に第１ヒンジユニットを形成する段階と、
前記蓋体が前記本体に対して第２方向に回転できるように、前記蓋体と前記第１ヒンジユニットとの間に第２ヒンジユニットを形成する段階と、
前記第１ヒンジユニットにカメラを連結する段階と、
を含む移動通信端末機の撮影方法。
【請求項１３】
前記第１方向又は前記第２方向のいずれか一方向に前記カメラを回転させる段階をさらに含むことを特徴とする請求項１２に記載の移動通信端末機の撮影方法。
【請求項１４】
前記第１方向と前記第２方向とが直角をなすことを特徴とする請求項１２に記載の移動通信端末機の撮影方法。
【請求項１５】
前記蓋体を前記第２方向に１８０°回転させる段階をさらに含むことを特徴とする請求項１２に記載の移動通信端末機の撮影方法。
【請求項１６】
前記本体に対して前記第２方向に１８０°回転した後、前記本体に対して前記第１方向に回転して閉じられるように、前記蓋体を回転させる段階をさらに含むことを特徴とする請求項１５に記載の移動通信端末機の撮影方法。
【請求項１７】
前記蓋体が閉位置にあるとき、前記カメラが露出する段階をさらに含むことを特徴とする請求項１６に記載の移動通信端末機の撮影方法。
【請求項１８】
前記蓋体が前記第２方向に１８０°回転した後、前記第１方向に回転して閉状態になったとき、前記ディスプレイが露出する段階をさらに含むことを特徴とする請求項１６に記載の移動通信端末機の撮影方法。
【請求項１９】
前記蓋体が前記第２方向に１８０°回転した後、前記第１方向に回転して閉状態になったとき、前記ディスプレイに撮影する被写体が表示される段階をさらに含むことを特徴とする請求項１６に記載の移動通信端末機の撮影方法。
【請求項２０】
前記カメラが、前記カメラを回転させるための取っ手を含むことを特徴とする請求項１２に記載の移動通信端末機の撮影方法。
【請求項２１】
前記第２ヒンジユニットが、前記蓋体を２つの部分に分けることができるように、前記第１ヒンジユニットと離隔して配置されることを特徴とする請求項１に記載の移動通信端末機。
【請求項２２】
本体と、
蓋体と、
前記蓋体と前記本体が互いに対して開閉されるように、前記本体と前記蓋体とを連結する折り畳みメカニズムとを含み、
前記蓋体が、第１部と第２部とから構成され、前記第１部と前記第２部とが、前記折り畳みメカニズムの折り畳み軸線と異なる回転軸線を中心に回転自在に連結されることを特徴とする移動通信端末機。
【請求項２３】
前記折り畳みメカニズムが、少なくとも１つの折り畳みヒンジを有することを特徴とする請求項２２に記載の移動通信端末機。
【請求項２４】
前記回転軸線と前記折り畳み軸線とが直角をなすことを特徴とする請求項２２に記載の移動通信端末機。
【請求項２５】
前記蓋体の第１部が、前記折り畳みメカニズムを介して、前記本体に連結されることを特徴とする請求項２２に記載の移動通信端末機。
【請求項２６】
前記蓋体の第２部が、前記第１部と前記第２部とを前記回転軸線を中心に相互回転させるローテートメカニズムを介して、前記蓋体の第１部に連結されることを特徴とする請求項２５に記載の移動通信端末機。
【請求項２７】
前記第２部がディスプレイであることを特徴とする請求項２６に記載の移動通信端末機。
【請求項２８】
前記ローテートメカニズムが、前記折り畳みメカニズムと分離されて配置されることを特徴とする請求項２６に記載の移動通信端末機。
【請求項２９】
前記ローテートメカニズムが、前記折り畳みメカニズムに対して離隔して配置されることを特徴とする請求項２６に記載の移動通信端末機。
【請求項３０】
前記第１部が、前記ローテートメカニズムの各部材が動作可能なサイズを有することを特徴とする請求項２６に記載の移動通信端末機。
【請求項３１】
前記ローテートメカニズムが、前記蓋体の第１部と第２部とを連結するシャフトを含み、前記シャフトは、前記第２部が前記第１部に対して回転できるように回転中心を提供すると共に、前記第２部を支持するように前記第１部から前記第２部まで延長される長さを有することを特徴とする請求項２６に記載の移動通信端末機。
【請求項３２】
前記蓋体の第１部を通過し、前記本体の各部品と前記蓋体の第２部の各部品とを電気的に接続する電気コネクタをさらに含むことを特徴とする請求項２２に記載の移動通信端末機。
【請求項３３】
前記折り畳みメカニズムに設置されて画像を撮影するカメラユニットをさらに含むことを特徴とする請求項２２に記載の移動通信端末機。
【請求項３４】
前記カメラユニットが、前記回転軸線又は前記折り畳み軸線のいずれか一方に対して回転するように設置されることを特徴とする請求項３３に記載の移動通信端末機。
【請求項３５】
前記カメラユニットが、前記折り畳みメカニズムの中間に設置されることを特徴とする請求項３４に記載の移動通信端末機。
【請求項３６】
第１筐体と、
第２筐体と、
前記第１筐体と前記第２筐体が互いに対して移動できるように、前記第１筐体と前記第２筐体とを連結する連結メカニズムとを含み、
前記第２筐体が、ベース部とディスプレイ部とから構成され、前記ディスプレイ部が、前記連結メカニズムの軸と異なるピボット点で前記ベース部にピボットされていることを特徴とする移動通信端末機。
【請求項３７】
前記連結メカニズムと分離されて配置されるピボットメカニズムをさらに含み、前記ピボットメカニズムが、前記ディスプレイ部と前記ベース部とを連結するシャフトを備え、前記シャフトが、前記ディスプレイ部が前記ベース部にピボットされるようにピボット点を提供すると共に、前記ディスプレイ部を支持するように前記ベース部から前記ディスプレイ部まで延長される長さを有することを特徴とする請求項３６に記載の移動通信端末機。
【請求項３８】
前記連結メカニズムが、前記第１筐体と前記第２筐体が互いに対して折り畳まれるように、少なくとも１つの折り畳みヒンジを有することを特徴とする請求項３７に記載の移動通信端末機。
【請求項３９】
前記シャフトと前記連結メカニズムの軸とが直角をなすことを特徴とする請求項３７に記載の移動通信端末機。
【請求項４０】
前記ベース部が、前記連結メカニズムを介して、前記第１筐体に連結されることを特徴とする請求項３７に記載の移動通信端末機。
【請求項４１】
前記ベース部が、前記ピボットメカニズムの各部材が動作可能なサイズを有することを特徴とする請求項４０に記載の移動通信端末機。
【請求項４２】
前記ベース部を通過し、前記第１筐体の各部品と前記ディスプレイ部の各部品とを電気的に接続する電気的コネクタをさらに含むことを特徴とする請求項３６に記載の移動通信端末機。
【請求項４３】
前記連結メカニズムに設置されて画像を撮影するカメラユニットをさらに含むことを特徴とする請求項３６に記載の移動通信端末機。
【請求項４４】
前記カメラユニットが、前記連結メカニズムの軸に回転自在に設置されることを特徴とする請求項４３に記載の移動通信端末機。
【請求項４５】
前記カメラユニットが、前記連結メカニズムの中間に設置されることを特徴とする請求項４４に記載の移動通信端末機。